(57)【要約】【課題】直流負荷の起動時に電力を補うことができる配線装置を提供する。【解決手段】一対の栓刃２ａ，２ｂおよびこれら栓刃を直流負荷Ｌに接続する受電通電路３を有するプラグ４と、このプラグの一対の栓刃に着脱可能に電気的に接続される一対の直流給電用の刃受けばねおよびこれら一対の刃受けばねを直流電源側に接続する通電路を有するコンセントと、を有する。また、このコンセントおよびプラグの少なくとも一方の通電路に並列に接続され、前記直流負荷の起動時の電力を補う容量を有するコンデンサ７と、を具備している。【選択図】  図１
2011258512.tif 000002
【特許請求の範囲】
【請求項１】
一対の接続端子およびこれら接続端子を直流負荷に接続する通電路を有するプラグと；
このプラグの前記一対の接続端子に着脱可能に電気的に接続される一対の直流給電用の接続部およびこれら一対の給電用接続部を直流電源側に接続する通電路を有するコンセントと；
このコンセントおよびプラグの少なくとも一方の通電路に並列に接続され、前記直流負荷の起動時の電力を補う容量を有するコンデンサと；
を具備していることを特徴とする配線装置。
【請求項２】
前記通電路は、直流電源への逆流を阻止するダイオードを具備していることを特徴とする請求項１記載の配線装置。
【発明の詳細な説明】
【技術分野】
【０００１】
本発明の実施形態は配線装置に関する。
【背景技術】
【０００２】
一般に、配線装置の一例としては、プラグとコンセントとから構成されるものがあり、さらに、これらには、交流（ＡＣ）用と直流（ＤＣ）用のものがある。
【０００３】
そして、これらＤＣ用コンセントと同，プラグを用いて、このプラグに接続された直流負荷である電気機器にＤＣ電力を供給する場合、この電気機器の電力容量が小さいときには、その供給電力が低電圧、低電流となる場合がある。
【０００４】
また、一般に電気機器では、その起動時に、通常運転時の電力よりも大きい起動電力を必要とする場合がある。
【０００５】
この場合、電気機器の起動時に供給される電力が起動電力よりも小さいときには、この電気機器を起動できない、または正常に起動できない場合がある。また、この起動時の低電圧を昇圧するＤＣコンバータ等の負荷が増大するという課題がある。
【０００６】
ところで、従来のＤＣ用プラグの中には、その一対の接続端子である栓刃の内側端子間を、コンデンサにより接続したものが知られている（例えば、特許文献１参照）。
【先行技術文献】
【特許文献】
【０００７】
【特許文献１】特開２００９−１４６７８３号公報
【発明の概要】
【発明が解決しようとする課題】
【０００８】
しかしながら、この特許文献１記載のものは、プラグの一対の栓刃がコンセントの一対の刃受けばねに挿入されて接続され、コンセントからプラグがＤＣ電力を受電中に、このプラグがコンセントから引き抜かれた時、コンセントの刃受けばねと同電位に保持することにより、プラグの一対の栓刃と、コンセントの一対の刃受けばねとの間に、アークが発生することを防止できる、というものである。
【０００９】
したがって、このコンデンサでは、直流負荷の起動時に不足する電力を補充することができないので、直流負荷の起電流不足の回避や起動時のＤＣコンバータの負荷の低減を図ることはできない。
【００１０】
本発明は、このような事情を考慮してなされたもので、直流負荷の起動時に電力を補うことができる配線装置を提供することを目的とする。
【課題を解決するための手段】
【００１１】
本実施形態によれば、一対の接続端子およびこれら接続端子を直流負荷に接続する通電路を有するプラグと；このプラグの前記一対の接続端子に着脱可能に電気的に接続される一対の直流給電用の接続部およびこれら一対の給電用接続部を直流電源側に接続する通電路を有するコンセントと；を具備している。
【００１２】
また、このコンセントおよびプラグの少なくとも一方の通電路に並列に接続され、前記直流負荷の起動時の電力を補う容量を有するコンデンサと；を具備している。
【発明の効果】
【００１３】
本実施形態によれば、直流負荷の起動時の電力量の不足分をコンデンサにより補うので、直流負荷の起電流不足の回避やＤＣコンバータの負荷軽減を図ることができる。
【図面の簡単な説明】
【００１４】
【図１】本発明の一実施形態に係る配線装置の模式図。
【図２】図１で示すプラグの正面図。
【図３】図１で示すプラグの右側面図。
【図４】図１で示すコンセントの正面図。
【発明を実施するための形態】
【００１５】
以下、本発明の実施形態を図面に基づいて説明する。なお、複数の図面中、同一または相当部分には同一符号を付している。
【００１６】
図１〜図４に示すように本発明の第１の実施形態に係る配線装置１は、一対の接続端子の一例である栓刃２ａ，２ｂおよびこれら栓刃２ａ，２ｂを直流負荷Ｌに接続する受電通電路３を有するプラグ４と、このプラグ４の一対の栓刃２ａ，２ｂに着脱可能に電気的に接続される一対の直流給電用の接続部の一例である刃受けばね５ａ，５ｂおよびこれら一対の刃受けばね５ａ，５ｂを直流電源側に接続する給電通電路（図示省略）を有するコンセント６と、を具備している。本発明の一実施形態として、プラグ４の受電通電路３は一対の接続端子の一例である栓刃２ａ，２ｂの少なくとも一部を含んでいてもよい。また、本発明の他の一実施形態として、コンセント６の通電路は一対の直流給電用の接続部の一例である刃受けばね５ａ，５ｂの少なくとも一部を含んでいてもよい。
【００１７】
また、配線装置１は、このコンセント６およびプラグ４の少なくとも一方の通電路に並列に接続され、前記直流負荷Ｌの起動時の電力を補う容量を有するコンデンサ７を具備している。
【００１８】
すなわち、図２，図３に示すように配線装置１のＤＣ用のプラグ４は、例えば合成樹脂製の円柱状のプラグ本体４ａの一端側壁４ｂ（図２では左側壁）に、図中、横方向に延在する例えば円筒状または円柱状の２極（＋，−極）の栓刃２ａ，２ｂを、図中左右方向に所要の間隔を置いて配設している。しかし、これら栓刃２ａ，２ｂに、アース極用栓刃を追加してもよい。
【００１９】
また、プラグ４はプラグ本体４ａの一端側壁４ｂに、栓刃２ａ，２ｂの外周を所要の間隔を置いて囲む円筒状のガイド筒８を同心状に配設している。ガイド筒８は合成樹脂により例えば透明に形成され、その内周面に、誤挿入防止用の図中上下一対の円弧状係止凸部８ａ，８ｂを一体に突設している。これら一対の円弧状係止凸部８ａ，８ｂはガイド筒８の中心側へほぼ円弧状に突出しており、図中下部の円弧状係止凸部８ｂは、上部の円弧状突部８ａから垂下した下部から左側へ所要角ずれた位置に形成されている。また、ガイド筒８は軸方向長さが各栓刃２ａ，２ｂよりも若干長く形成されている。これら各栓刃２ａ，２ｂの内端は、プラグ本体４ａ内で受電通電路３を介して図１で示す一対の端子９ａ，９ｂに電気的に接続されている。これら一対の端子９ａ，９ｂは、コード１０内の複数の芯線を介して直流負荷ＬとしてのＤＣ駆動の電気機器（図示省略）が接続される。
【００２０】
図４に示すようにコンセント６はプラグ４を挿入させるプラグ挿入孔１１と、プラグ４の２極の栓刃２ａ，２ｂをそれぞれ挿脱可能に挿入させて電気的に接続する２極の刃受けばね５ａ，５ｂと、プラグ４の円筒形のガイド筒８の挿入先端部を嵌入させる円形の嵌合孔１２を有する。嵌合孔１２は、その中心側へほぼ円弧状に突出する誤挿入防止用の図中上下一対の円弧状係止凹部１２ａ，１２ｂを一体に形成している。図中下部の円弧状係止凹部１２ｂは、図中上部の円弧状係止凹部１２ａから垂下させた位置から右側へ所要角ずれた位置であって、前記プラグ４の下部円弧状係止凸部８ｂと対称位置に形成されている。すなわち、これら一対の円弧状係止凹部１２ａ，１２ｂは、プラグ４の誤挿入防止用の一対の円弧状係止凸部８ａ，８ｂと係合する形状と大きさに形成されており、一対の刃受けばね５ａ，５ｂ内に、一対の栓刃２ａ，２ｂの極性が一致して挿入されたときに、一対の円弧状係止凸部８ａ，８ｂと係脱可能に係合するようになっている。
【００２１】
そして、図１に示すようにプラグ４は、＋極側の受電通電路３ａの途中に、直流電源側への逆流阻止用のダイオード１３を直列に挿入している。すなわち、ダイオード１３は、そのアノードＡ側を＋極側の受電通電路３ａの栓刃２ａ側に接続し、カソードＫ側を同，端子９ａ側に接続している。このため、コンデンサ７に充電電荷が残っている状態でプラグをコンセント６から引き抜いたとき、人が栓刃２ａに触れても感電する虞がない。
【００２２】
また、このダイオード１３のカソードＫ側において、＋極側の受電通電路３ａと−極の受電通電路３ｂ間にコンデンサ７を接続している。
【００２３】
コンデンサ７は、プラグ４が接続されるＤＣ負荷Ｌである電気機器の起動時の電力を補充する容量を有する。このために、プラグ４がコンセント６のプラグ挿入孔１１内に挿入されて、プラグ４の栓刃２ａ，２ｂがコンセント６の刃受けばね５ａ，５ｂに接続されてプラグ４がコンセント６からＤＣ電力を受電したときに、そのＤＣ電力の一部がコンデンサ７に充電される。
【００２４】
この状態で直流負荷Ｌに設けられた作動スイッチがオンされると、コンデンサ７の充電電荷が直流負荷Ｌに供給される。また、コンデンサ７の充電後は、直流負荷Ｌである電気機器の作動中にコンセント６から受電中のＤＣ電圧が所定値以下に低下した場合、あるいは負荷が（例えばエアコンの温度調節時のように）要求電力を増加した場合に、コンデンサ７が放電し、受電中のＤＣ電圧低下分や負荷要求分を一時的に補うこともできる。
【００２５】
したがって、プラグ４により受電しているＤＣ電力が電気機器の起動に必要な起動電力よりも不足しているときは、その不足分をコンデンサ７により補充することができる。
【００２６】
その結果、電気機器の起動失敗や、起動電力が不足しているときに、その起動電圧の昇圧等の制行を行うＤＣコンバータの負荷を低減できる。
【００２７】
また、コンセント６からプラグ４へ流入したＤＣ電流がプラグ４からコンセント６へ逆流することをダイオード１３により阻止または低減できる。
【００２８】
また、プラグ４とコンセント６には、プラグ４の一対の栓刃２ａ，２ｂと、コンセント６の一対の刃受けばね５ａ，５ｂの極性が相互に一致したときのみ係脱可能に係合する誤挿入防止用の一対の円弧状係止凸部８ａ，８ｂと、誤挿入防止用の一対の円弧状係止凹部１２ａ，１２ｂを設けているので、プラグ４の＋，−極の栓刃２ａ，２ｂと、コンセント６の＋，−極の刃受けばね５ａ，５ｂとの極性を誤って挿入する誤挿入を防止できる。
【００２９】
さらに、本実施形態によれば、コンデンサ７の容量は直流負荷Ｌに応じて設定することが可能である。すなわち、コンデンサ７をプラグ４側に設ける場合には、プラグ４と直流負荷Ｌとが直結されるのが一般的であるから、直流負荷Ｌに応じてコンデンサ７の容量を設定し易い。
【００３０】
また、コンデンサ７の放電時定数も任意に設定することが可能である。すなわち、コンデンサ７に充電用ダイオードを直列に挿入すると共に、この充電用ダイオードに放電用抵抗を並列に接続し、この放電用抵抗の抵抗値を適宜設定することにより、コンデンサ７の放電時定数を任意に設定することができる。
【００３１】
なお、上記実施形態では、コンデンサ７をプラグ４側に設けた場合について説明したが、本発明はこれに限定されるものではなく、例えばコンデンサ７を、プラグ４側に代えてコンセント６側に設けてもよく、さらにプラグ４とコンセント６の両者に設けてもよい。
【符号の説明】
【００３２】
１…配線装置、２ａ，２ｂ…栓刃（接続端子）、３…受電通電路、４…プラグ、５ａ，５ｂ…刃受けばね（接続部）、６…コンセント、７…コンデンサ、１３…ダイオード、Ｌ…直流負荷。
【図１】
2011258512.tif 000003
【図２】
2011258512.tif 000004
【図３】
2011258512.tif 000005
【図４】
2011258512.tif 000006